(57)【要約】本発明は、電子タグに記憶されている情報を非接触に登録するシステムに関する。このシステムは、少なくとも１つのコンテナ形、桶形、籠形または同様の形に構成されており、電子タグを収容するための開口部（２）を有する少なくとも１つの収容装置（１）と、この少なくとも１つの収容装置に配属されており、電子タグにおける情報を検出する検出装置（３）と、この受信装置によって得られた情報を処理する読取装置（４）とを包含する。
2004519049.tif 000002
【特許請求の範囲】
【請求項１】
電子タグに記憶されている情報を非接触に登録するシステムにおいて、
コンテナ形、桶形、籠形または同様の形に構成されており、電子タグを収容するための開口部（２）を有する少なくとも１つの収容装置（１）と、該少なくとも１つの収容装置に配属されており、電子タグにおける情報を検出する検出装置（３）と、該検出装置によって得られた情報を処理する読取装置（４）とを包含することを特徴とする、電子タグに記憶されている情報を非接触に登録するシステム。
【請求項２】
前記少なくとも１つの収容装置（１）に配属されている検出装置（３）は前記収容装置（１）の開口部（２）の領域に配置されている、請求項１記載のシステム。
【請求項３】
前記検出装置（３）は例えばリング形または同様の形に構成されている、請求項１または２記載のシステム。
【請求項４】
前記検出装置（３）は実質的に前記開口部（２）の周縁の領域に配置されている、請求項１から３までのいずれか１項記載のシステム。
【請求項５】
前記読取装置（４）は前記検出装置（３）によって得られた情報を収集及び／又は合計及び／又は記憶する、請求項１から４までのいずれか１項記載のシステム。
【請求項６】
前記読取装置（４）は、前記収集及び／又は合計及び／又は記憶された情報を視覚的及び／又は音響的に出力する指示装置（５）を包含する、請求項１から５までのいずれか１項記載のシステム。
【請求項７】
前記指示装置（５）はディスプレイ（６）及び／又はスピーカ（７）を包含する、請求項６記載のシステム。
【請求項８】
前記読取装置（４）は、該読取装置（４）によって収集及び／又は合計及び／又は記憶された情報を評価及び／又はさらに処理する、評価装置または同様の装置と通信する、請求項７記載のシステム。
【請求項９】
前記読取装置（４）は、前記検出装置（３）によって得られた情報を処理するために前記少なくとも１つの収容装置（１）に配置されている、請求項１から８までのいずれか１項記載のシステム。
【請求項１０】
前記読取装置（４）は、前記検出装置（３）によって得られた情報を処理するために中央ユニットに配置されている、請求項１から８までのいずれか１項記載のシステム。
【請求項１１】
前記読取装置（４）と前記中央ユニットは送信／受信装置を介して通信する、請求項１０記載のシステム。
【請求項１２】
前記送信／受信装置は、前記少なくとも１つの収容装置（１）において前記読取装置（４）に配属されている送信器（９）と、前記中央ユニットにおける受信器とを包含する、請求項１１記載のシステム。
【請求項１３】
前記検出装置（３）及び／又は前記送信／受信装置は情報を無線及び／又は赤外線及び／又は超音波を介して受信ないし送信（送出）する、請求項１から１２までのいずれか１項記載のシステム。
【請求項１４】
前記少なくとも１つの収容装置（１）は可動性に構成されている、請求項１から１３までのいずれか１項記載のシステム。
【請求項１５】
前記少なくとも１つの収容装置（１）はショッピングカートまたは同様の商品籠（１１）として構成されている、請求項１４記載のシステム。
【請求項１６】
前記電子タグに記憶されている情報は商品の値段である、請求項１から１５までのいずれか１項記載のシステム。
【請求項１７】
前記評価装置または同様の装置はチップカード装置として構成されており、該チップカード装置は前記読取装置によって求められた情報を受け取り、該情報を支払のために銀行機関に伝送する、請求項８から１６までのいずれか１項記載のシステム。
【請求項１８】
前記読取装置（４）及び／又は前記指示装置（５）及び／又は評価装置または同様の装置は、前記ショッピングカート（１）または同様の商品籠（１１）の柄（１０）に配置されている、請求項１５から１７までのいずれか１項記載のシステム。
【発明の詳細な説明】
【０００１】
本発明は、電子タグに記憶されている情報を非接触に登録するシステムに関する。
【０００２】
電子タグ、英語ではＩｄｅｎｔ−Ｔａｇは、日常生活の多くの領域において、例えば商品ないし製品に値札を付けるために適用される。これらのタグは、製品の種類、特性、量または値段に関する種々の情報を包含することができ、これと結びつく記号論理学を単純化する。これらのタグを製品の貯蔵及び／又は棚卸の際に情報源として使用することができる。
【０００３】
電子タグが依然として僅かにしか導入されていない領域は小売店の領域であり、すなわちデパート、量販店などで提供される商品ないし製品に値札を付ける場合である。このことはタグを、各物品に装備することはまだなお高額であったということに原因がある。この問題は、有機電子機器を基礎とする非常に安価な電子タグが導入されることによって解決することができるだろう。
【０００４】
デパートにおいてはこれまではいわゆる電子式盗難防止が公知である。容易に窃盗され得る所定の商品はここでは特別なピンが装備され、このピンはレジにおける支払時に取り外されなければ、アンテナ装置を通過する際に警報信号を発する。例えばショッピングカートもその内容物を登録するために、同様のアンテナ装置を進む可能性もあるだろう。しかしながらショッピングカート内の全ての商品が同時に信号をアンテナにおいて発するという問題が生じる。信号の重畳が発生することにより登録は非常に不正確になるだろう。
【０００５】
本発明の課題は、簡単且つ確実なやり方で電子タグに記憶されている情報、例えば商品の値段を非接触に登録することに適しているシステムを提供することである。例えばこのシステムは、通常の登録レジが使用されている、デパート及び量販店において適用できるべきである。
【０００６】
したがって本発明の対象は、少なくとも１つのコンテナ形、桶形、籠形または同様の形に構成されている、電子タグを収容するための開口部を有する収容装置と、少なくとも１つの収容装置に配属されている、電子タグにおける情報を検出するための検出装置と、検出装置によって得られた情報を処理する読取装置とを包含する、電子タグに記憶されている情報を被接触に登録するシステムである。
【０００７】
電子タグが装備されている商品は開口部を通過して収容装置に挿入される際に、配属されている検出装置において別個の情報信号を惹起し、検出装置はこの信号を処理してまたは処理せずに、読取装置にさらなる処理のために転送する。これによって複数の電子タグの個々の情報が重畳することは回避される。
【０００８】
このために有利には、少なくとも１つの収容装置に配属されている検出装置が収容装置の開口部の領域に配置されている。これによって電子タグの情報が非常に精確に検出装置に受信されることが保証されている。収容装置に挿入されない商品の情報が登録ないし受信されることは回避される。
【０００９】
このために、検出装置が例えばリング形または同様の形に構成されていることはさらに有利である。ユーザは、検出装置に電子タグにおける情報を登録するためにこの電子タグが商品の何処に取り付けられているかを顧慮する必要はない。また情報が検知されないようにすることを目的としたシステムの乱用は十分に排除される。
【００１０】
この効果は、本発明の別の有利な構成において検出装置が実質的に開口部の周縁の領域に配置されていることによって支援される。
【００１１】
検出装置に配属されている読取装置は有利には、包含されている情報を収集及び／又は合計及び／又は記憶するように構成されている。したがって読取装置は商品の種類、量、特性または値段に関する情報を受信し、設定に応じて処理することに適している。収集された情報はいかなる時でも呼び出せるものでなければならない。
【００１２】
収集及び／又は合計及び／又は記憶された情報を視覚的及び／又は音響的に出力するための指示装置が読取装置に配属されている場合には、ユーザにとって有利である。この別の実施形態は、ユーザが既に挿入されている商品をタグの情報内容に応じて制御することを可能にし、場合によっては必要な訂正を許可する。例えば商品が誤ってまたは意図せずに収容装置に入ってしまった場合には、この商品を再び取り出すことができ、この商品に関して記憶されている情報を消去することができる。
【００１３】
有利には、視覚的に指示するために例えばＬＥＤディスプレイであるディスプレイが使用される。商品の種類、特性、重量、値段に関する情報を、これらの情報が電子タグに存在する場合に再生することができる。情報を音響的に再生するための指示装置は有利にはスピーカであり、このスピーカは読取装置を用いて電子的に記憶されている情報を音響的に再生する。このスピーカはまた、電子タグにおける情報に依存せずに、知るに値する事をシステムのユーザに伝えることができる。
【００１４】
読取装置が、この読取装置によって収集及び／又は合計及び／又は記憶された情報を評価及び／又はさらに処理する、評価装置または同様の装置と通信することは有利である。この評価装置または同様の装置は読取装置の統合された構成部分であってもよいが、有利には、読取装置の相応の信号を受信、評価及び／又はさらに処理し、必要に応じて処理された情報を読取装置に返送する中央装置の構成部分である。
【００１５】
本発明の有利な実施形態においては、読取装置が検出装置によって得られた情報をさらに処理するために少なくとも１つの収容装置に配置されている。このことは、得られた情報の十分に分散された処理を可能にする。しかしながら読取装置はコスト上の理由から中央ユニットに配置することもでき、この中央ユニットが処理された情報を問い合わせることができる。
【００１６】
この場合、読取装置と中央ユニットが送信／受信装置を介して通信することは不可欠である。この送信／受信装置は少なくとも１つの収容装置において読取装置に配属されている送信器と、中央ユニットにおける受信器とを包含する。受信装置及び／又は送信／受信装置は無線及び／又は赤外線及び／又は超音波を用いて情報を受信ないし送信する。
【００１７】
本発明の特別な観点では収容装置は可動性に構成されている。例えば収容装置はショッピングカートまたは同様の商品籠である。電子タグに記憶されている情報は有利には商品の値段であるので、本発明によるシステムは電子タグに記憶されている商品の値段を非接触に登録するために使用することができる。したがって個々の商品の値段を合計するための個々の登録レジは不要になる。
【００１８】
このために有利には上述した評価装置または同様の装置は、読取装置によって求められた情報を受け取り、支払のための銀行機関に伝送するチップカード装置ないしチップカードシステムとして構成されている。ユーザが例えば貨幣価値を有するチップカード、すなわち所定の金額がロードされているチップカードを使用することもできる。
【００１９】
有利には、読取装置及び／又は指示装置及び／又は評価装置または同様の装置がショッピングカートまたは同様の商品籠の柄に配置されている。したがってシステムのこの重要な素子は比較的に衝撃耐性があり、殊に操作耐性があるように配置されている。
【００２０】
チップカード読取装置は必ずしもショッピングカートの統合された構成部分である必要はない。このような装置はデパートの出口に配置することもできる。この場合、適切且つ従来技術において公知の通信システムによって、ショッピングカートはその中にある商品の代金を払った時に初めて解放されることが保証されなければならない。
【００２１】
以下本発明を有利な実施例に基づき、また殊に図面に基づき説明する。ここで図１は、本発明が実施されているショッピングカートである。図２は、柄に配置されている、本発明によるシステムの個々の素子の概略図である。
【００２２】
図１に示された収容装置は、商品籠１１及び柄１０を備えた慣例の移動可能なショッピングカート１である。商品籠１１は開口部２の周縁の領域において、アンテナ３として配置されている検出装置を有する。アンテナ３は電磁場を放射する。電子タグ、いわゆるＲＦＩＤタグはこの場における電力損失を惹起し、この電力損失がアンテナ３によって検出され、読取装置４に転送される。電力損失はタグの情報内容に相応する。アンテナ３は電子タグから送出される放送周波数信号を受信することにも適していても良い。ＲＦＩＤタグが設けられている商品が商品籠１１に開口部２を介して入れられるやいなや、アンテナ３は相応のＲＦ信号を受信する。この信号は、Ｉｄｅｎｔタグに存在する情報、例えば値段に相応する。
【００２３】
図２は、本発明によるシステムの個々の素子を概略的に示す。柄１０には読取装置４が設けられており、この読取装置４はアンテナ３に配属されている。読取装置４はアンテナ３から、例えば値段に関する相応の情報信号を受信する。読取装置４はこれらの情報を収集及び／又は合計及び／又は記憶する。さらに図示されている実施形態においては柄１０は、情報をユーザに視覚的に再生するためのディスプレイ６である指示装置５を有する。読取装置４及びディスプレイ６は相互に通信するように接続されている。
【００２４】
ユーザが電子タグを備えた商品を商品籠１１に置くと、アンテナ３が先ず前述したように商品に関する相応の情報を登録し、これらの情報を適切に処理された形で読取装置４に転送する。
【００２５】
読取装置４は所定の商品に関する情報、例えば種類、性質、量及び／又は値段を指示装置５に転送し、この指示装置５は例えばＬＥＤ表示部であるディスプレイ６に相応の情報を視覚化する。例えば製品の値段がその重量に依存する場合には、ディスプレイ６に先ず重量を表し、次に値段を表すことができる。したがってユーザは、相応の製品が気に入らない場合には再び商品籠１１から取り出すことも可能である。アンテナ３は「負の」信号を登録し、この信号は更なる処理のために読取装置４に転送される。登録は消去される。いかなる時でもディスプレイ６は、ユーザが継続的に個々の製品の値段に関する情報を得て、続いて既に商品籠１１に存在する全ての製品の合計を得られるように構成されている。
【００２６】
この情報を論理的にスピーカ７を介しても供給することができ、この場合スピーカをやはり適切なやり方で読取装置４と通信するように接続する必要がある。しかしながらスピーカ７を、製品に関連の無い情報をショッピングカート１のユーザに伝送することにも使用できる。ここでは人が多数の異なる製品領域を備えた量販店にいることを想定する。ショッピングカート１のユーザが食料品売場から家庭用品売場または家庭用電動工具売場へと移動するやいなや、ユーザに例えばこれらそれぞれの売場における特別提供品を音響的に示唆することが可能である。
【００２７】
本発明によるショッピングカート１の別の実施手形態においては、読取装置４をショッピングカート１から分離されている中央ユニットに設けることもできる。この場合読取装置４ないし全体のシステムは送信／受信ユニット８（図示せず）を装備することができ、送信器９はショッピングカート１の柄１０に読取装置４の代わりに組み込まれている。いかなる時でも読取装置４は評価装置または同様の装置に配属されており、この装置と通信する。送信器９は相応の情報を中央読取装置４に送信し、この中央読取装置４は情報を収集及び／又は合計及び／又は記憶する。
【００２８】
評価装置または同様の装置（図示せず）は例えばチップ読取器であっても良く、このチップ読取器は同様にショッピングカート１または中央ユニットに配置されている。ショッピングカート１のユーザが買い物を終了するやいなや、ユーザは合計金額を支払うことによってショッピングカート１を解放することができる。このことは現金を使用しない支払流通のためのＥＣカードまたは通常のカードを導入することによって行うことができる。カードをショッピングカートにおけるチップ読取装置または中央ユニットまたは、例えば従来のレジのような出口の近傍における固定的なユニットに、引落のために挿入することができる。
【図面の簡単な説明】
【図１】
本発明によるショッピングカートである。
【図２】
柄に配置されている、本発明によるシステムの個々の素子の概略図である。
【国際公開パンフレット】
2004519049.tif 000003
2004519049.tif 000004
2004519049.tif 000005
2004519049.tif 000006
2004519049.tif 000007
2004519049.tif 000008
2004519049.tif 000009
2004519049.tif 000010
2004519049.tif 000011
2004519049.tif 000012
2004519049.tif 000013
2004519049.tif 000014
2004519049.tif 000015
2004519049.tif 000016
【国際調査報告】
2004519049.tif 000017
2004519049.tif 000018
2004519049.tif 000019
2004519049.tif 000020
2004519049.tif 000021
2004519049.tif 000022